(57)【要約】【課題】互いに隣接する（隣り合う）トナー受入れ口から水平搬送管内に供給された異なる色のトナー同士が混ざり合うのを極力、抑制する。【解決手段】トナー搬送装置３０の水平搬送管３２には搬送スクリュー３１が配置され、搬送スクリュー３１は軸部３１ａと、各トナー受入れ口の下方に設けられ、該各トナー受入れ口より受入れた各色のトナーを、該各トナー受入れ口に対応するトナー排出口３２ｂへと搬送する複数の螺旋状羽根部３１ｂとを有し、軸部３１ａにおける隣接する螺旋状羽根部３１ｂの間に位置する領域であって隣接するトナー排出口３２ｂの間に位置する領域の少なくとも一つには、該軸部３１ａの軸線方向に間隔を空けて設けられて周面が水平搬送管３２の内壁面に摺動可能に嵌合する一対の円板部３１ｅが形成され、一対の円板部３１ｅと水平搬送管３２の内壁面とによって円筒状の閉空間Ｓ１，Ｓ２が形成されている。【選択図】図７
2019128456.tif 000002
【特許請求の範囲】
【請求項１】
互いに異なる色のトナーが収容された複数のトナー容器の下方に設けられた水平搬送管と、該水平搬送管の側壁にその延設方向に間隔を空けて形成され、各トナー容器より落下供給される各色のトナーを受け入れる複数のトナー受入れ口と、該水平搬送管の側壁にその延設方向に間隔を空けて形成され、各トナー受入れ口より受入れた各色のトナーを各色の現像装置に向けて排出する複数のトナー排出口と、該水平搬送管内に回転可能に設けられ、各トナー受入口より受け入れた各色のトナーを該各トナー受入口に対応する各トナー排出口へと搬送する搬送スクリューと、該搬送スクリューの両端部を回動可能に支持する両端軸受とを備えたトナー搬送装置であって、
上記搬送スクリューは、軸部と、該軸部の周面における各トナー受入れ口の下方に設けられ、該各トナー受入れ口より受入れた各色のトナーを、該各トナー受入れ口に対応するトナー排出口へと搬送する複数の螺旋状羽根部とを有し、
上記軸部における隣接する螺旋状羽根部の間に位置する領域であって隣接するトナー排出口の間に位置する領域の少なくとも一つには、該軸部の軸線方向に間隔を空けて設けられて周面が上記水平搬送管の内壁面に摺動可能に嵌合する一対の円板部が形成され、
上記一対の円板部と上記水平搬送管の内壁面とによって円筒状の閉空間が形成されている、トナー搬送装置。
【請求項２】
請求項１記載のトナー搬送装置において、
上記軸部における上記一対の円板部の間には、周面が上記水平搬送管の内壁面に摺動可能に嵌合して上記閉空間を該軸部の軸線方向にて二分割する中間円板部が形成されている、トナー搬送装置。
【請求項３】
請求項１記載のトナー搬送装置において、
上記軸部における各トナー排出口に対向する部分を挟んで上記各螺旋状羽根部とは反対側には、該各螺旋状羽根部とは逆巻きの逆螺旋状羽根部が形成されており、
上記各螺旋状羽根部及び上記各逆螺旋状羽根部は、上記一対の円板部の間にトナーが侵入しないように該一対の円板部の上記軸線方向の外側に向けてトナーを搬送するように構成されている、トナー搬送装置。
【請求項４】
請求項１乃至３のいずれか一項に記載のトナー搬送装置において、
上記搬送スクリューは、摺動性樹脂を用いて一体成型されている、トナー搬送装置。
【請求項５】
請求項１乃至４のいずれか一項に記載のトナー搬送装置において、
上記各円板部は、上記軸部に対して同軸に形成され、
上記各円板部の外径は、上記各螺旋状羽根部の外径よりも大きい、トナー搬送装置。
【請求項６】
請求項１乃至５のいずれか一項に記載のトナー搬送装置を備えた画像形成装置。
【発明の詳細な説明】
【技術分野】
【０００１】
本発明は、トナー搬送装置及び該トナー搬送装置を備えた画像形成装置に関する。
【背景技術】
【０００２】
一般に、電子写真方式の画像形成装置は、各色のトナーが収容された複数のトナー容器と、各トナー容器の下側にそれぞれ設けられた各色の現像装置と、各トナー容器内のトナーを各現像装置に搬送するトナー搬送装置とを備えている（例えば、特許文献１参照）。
【０００３】
トナー搬送装置は、複数のトナー容器の下側に配置された水平搬送管を有している。水平搬送管には、各トナー容器より落下供給される各色のトナーを受け入れる複数のトナー受入れ口が形成されている。複数のトナー受入れ口は、水平搬送管の上側の周壁にその延設方向に間隔を空けて形成されている。水平搬送管にはさらに、各トナー受入れ口より受入れた各色のトナーを、各色の現像装置に向けて排出する複数の排出口が形成されている。複数のトナー排出口は、水平搬送管の下側の周壁にその長手方向に間隔を空けて形成されている。
【０００４】
水平搬送管内には、搬送スクリューが回動可能に設けられている。搬送スクリューは、軸部と、軸部の周面に形成された複数の螺旋状羽根部とを有している。各螺旋状羽根部は、各トナー受入れ口の下方付近に形成されている。各螺旋状羽根部は、各トナー受入口より受け入れたトナーを各トナー排出口に導く。
【先行技術文献】
【特許文献】
【０００５】
【特許文献１】特開２０１７−１９１１７６号公報
【発明の概要】
【発明が解決しようとする課題】
【０００６】
特許文献１に示す従来のトナー搬送装置では、互いに隣接する（隣合う）トナー受入れ口から水平搬送管内に供給された異なる色のトナー同士が搬送パイプ内を移動して混ざり合う虞がある。
【０００７】
本発明は、かかる点に鑑みてなされたものであり、その目的とするところは、互いに隣接するトナー受入れ口から水平搬送管内に供給された異なる色のトナー同士が混ざり合うのを極力、抑制することにある。
【課題を解決するための手段】
【０００８】
本発明の一局面に係るトナー搬送装置は、互いに異なる色のトナーが収容された複数のトナー容器の下方に設けられた水平搬送管と、該水平搬送管の側壁にその延設方向に間隔を空けて形成され、各トナー容器より落下供給される各色のトナーを受け入れる複数のトナー受入れ口と、該水平搬送管の側壁にその延設方向に間隔を空けて形成され、各トナー受入れ口より受入れた各色のトナーを各色の現像装置に向けて排出する複数のトナー排出口と、該水平搬送管内に回転可能に設けられ、各トナー受入口より受け入れた各色のトナーを該各トナー受入口に対応する各トナー排出口へと搬送する搬送スクリューと、該搬送スクリューの両端部を回動可能に支持する両端軸受とを備えている。
【０００９】
上記搬送スクリューは、軸部と、該軸部の周面における各トナー受入れ口の下方に設けられ、該各トナー受入れ口より受入れた各色のトナーを、該各トナー受入れ口に対応するトナー排出口へと搬送する複数の螺旋状羽根部とを有し、上記軸部における隣接する螺旋状羽根部の間に位置する領域であって隣接するトナー排出口の間に位置する領域の少なくとも一つには、該軸部の軸線方向に間隔を空けて設けられて周面が上記水平搬送管の内壁面に摺動可能に嵌合する一対の円板部が形成され、上記一対の円板部と上記水平搬送管の内壁面とによって円筒状の閉空間が形成されている。
【００１０】
本発明に係る画像形成装置は上記トナー搬送装置を備えている。
【発明の効果】
【００１１】
本発明によれば、互いに隣接するトナー受入れ口から水平搬送管内に供給された異なる色のトナー同士が混ざり合うのを極力、抑制することができる。延いては、印刷画像の画質を向上させることができる。
【図面の簡単な説明】
【００１２】
【図１】図１は、実施形態におけるトナー搬送装置を備えた画像形成装置を示す概略図である。
【図２】図２は、画像形成装置内に配置された中間転写ユニット及び四つのトナートナー容器及びトナー搬送装置を示す斜視図である。
【図３】図３は、図２のIII−III線断面図である
【図４】図４は、搬送スクリューを示す斜視図である。
【図５】図５は、搬送スクリューの左側端部の支持構造を示す切断図である。
【図６】図６は、搬送スクリューの右側端部の支持構造を示す切断図である。
【図７】図７は、図２のIII−III線断面図の一部を示す図である。
【図８】図８は、実施形態２を示す図７相当図である。
【発明を実施するための形態】
【００１３】
以下、本発明の実施形態を図面に基づいて詳細に説明する。尚、本発明は、以下の実施形態に限定されるものではない。
《実施形態１》
【００１４】
図１は、実施形態におけるトナー搬送装置３０を備えた画像形成装置１の概略構成図を示している。この画像形成装置１は、タンデム方式のカラープリンターである。以下の説明において、前側、後側は、画像形成装置１の前側、後側（図１の紙面垂直方向の手間側、奥側）を意味し、左側、右側は、画像形成装置１を前側から見たときの左側、右側を意味する。
【００１５】
画像形成装置１は、箱形のケーシング２内に画像形成部３を備えている。この画像形成部３は、ネットワーク接続等がされたコンピューター等の外部機器から伝送されてくる画像データに基づき画像を記録紙Ｐに転写形成する箇所である。画像形成部３の下方には、光ビーム（レーザー光）を照射する対向走査型の光走査装置４が配置され、画像形成部３の上方には、中間転写ベルト５が配置されている。光走査装置４の下方には、記録紙Ｐを貯留する用紙貯留部６が配置され、用紙貯留部６の側方には、手差し給紙部７が配置されている。中間転写ベルト５の右斜め上方には、記録紙Ｐに転写形成された画像に定着処理を施す定着部８が配置されている。符号９は、ケーシング２上部に配置され、定着部８で定着処理が施された記録紙Ｐを排出する用紙排出部である。
【００１６】
画像形成部３は、中間転写ベルト５に沿って一列に配置された四つの画像形成ユニット１０Ｂｋ，１０Ｍ，１０Ｃ，１０Ｙを備えている。これら画像形成ユニット１０Ｂｋ，１０Ｍ，１０Ｃ，１０Ｙはそれぞれ、ブラック、マゼンタ、シアン、イエローのトナー画像を形成する。以下の説明において、ブラック、マゼンタ、シアン、イエローを区別する必要があるときには符号に添字Ｂｋ、Ｍ、Ｃ、Ｙを付するものとする。
【００１７】
各画像形成ユニット１０Ｂｋ，１０Ｍ，１０Ｃ，１０Ｙは、感光体ドラム１１を有している。各感光体ドラム１１の直下には、帯電器１２が配置され、各感光体ドラム１１の一側方には、現像装置１３が配置され、各感光体ドラム１１の直上には、１次転写ローラー１４が配置され、各感光体ドラム１１の他側方には、感光体ドラム１１の周面をクリーニングするクリーニング部１５が配置されている。
【００１８】
そして、各感光体ドラム１１は、帯電器１２によって周面が一様に帯電され、当該帯電後の感光体ドラム１１の周面に対して、上記コンピューター等から入力された画像データに基づく各色成分に対応したレーザー光が光走査装置４から照射され、各感光体ドラム１１の周面に静電潜像が形成される。かかる静電潜像に現像装置１３から現像剤が供給されて、各感光体ドラム１１の周面にブラック、マゼンタ、シアン、又はイエローのトナー画像が形成される。これらのトナー画像は、１次転写ローラー１４に印加された転写バイアスにより中間転写ベルト５の下面に重ねて転写される。
【００１９】
符号１６は、定着部８の下方に中間転写ベルト５と当接した状態で配置された２次転写ローラーであり、用紙貯留部６又は手差し給紙部７から用紙搬送路１７を搬送される記録紙Ｐを２次転写ローラー１６と中間転写ベルト５とで挟持し、２次転写ローラー１６に印加された転写バイアスにより中間転写ベルト５上のトナー画像を記録紙Ｐに転写するようになっている。
【００２０】
定着部８は、加熱ローラー１８と加圧ローラー１９とを備え、これら加熱ローラー１８と加圧ローラー１９とにより記録紙Ｐを挟持して加熱及び加圧し、記録紙Ｐに転写されたトナー画像を記録紙Ｐに定着させる。定着処理後の記録紙Ｐは、用紙排出部９に排出される。符号２０は、両面印刷時に定着部８から排出された記録紙Ｐを反転させるための反転搬送路である。
【００２１】
図２に示すように、中間転写ベルト５を挟んで各画像形成ユニット１０Ｂｋ，１０Ｍ，１０Ｃ，１０Ｙの上側には、トナー容器２５Ｂｋ，２５Ｍ，２５Ｃ，２５Ｙが左右方向に並んで設けられている。各トナー容器２５Ｂｋ，２５Ｍ，２５Ｃ，２５Ｙにはそれぞれ、ブラック、マゼンタ、シアン、イエローのトナーが収容されている。各トナー容器２５Ｂｋ，２５Ｍ，２５Ｃ，２５Ｙは、上側から見て前後方向に延びる密閉状の容器からなる。各トナー容器２５Ｂｋ，２５Ｍ，２５Ｃ，２５Ｙの下面の前端部には、トナー排出口（図示省略）が形成されている。各トナー容器２５Ｂｋ，２５Ｍ，２５Ｃ，２５Ｙのトナー排出口から排出されたトナーは、トナー搬送装置３０を介して各色に対応する現像装置１３Ｂｋ，１３Ｍ，１３Ｃ，１３Ｙに供給される。
【００２２】
図３に示すように、トナー搬送装置３０は、搬送スクリュー３１を収容する水平搬送管３２を有している。水平搬送管３２は、汎用性樹脂で構成されている。汎用性樹脂の一例としてＡＢＳ樹脂やＰＳＣ樹脂等を採用することができる。水平搬送管３２は、左右方向に水平に延びる中空管である。水平搬送管３２内の中空空間は、断面円形状（つまり円筒状）をなしている。水平搬送管３２の延設方向は画像形成装置１の左右方向に一致している。
【００２３】
水平搬送管３２の上側壁（側壁の一例）には、各トナー容器２５Ｂｋ，２５Ｍ，２５Ｃ，２５Ｙ内のトナーを水平搬送管３２内に落下供給する四つのトナー導入管３３が接続されている。また、水平搬送管３２の下側壁（側壁の一例）には、水平搬送管３２内のトナーを各現像装置１３Ｂｋ，１３Ｍ，１３Ｃ，１３Ｙに向けて排出する四つのトナー排出管３４が接続されている。各トナー導入管３３及び各トナー排出管３４は上下方向に延びる矩形筒状をなしている。尚、図３では、トナー排出管３４はその側壁の一部のみを実線で示している。
【００２４】
水平搬送管３２の上側壁には、各トナー導入管３３の下端が接続される四つのトナー受入れ口３２ａに形成されている。四つのトナー受入れ口３２ａは、水平搬送管３２の左右方向に間隔を空けて形成されている。四つのトナー受入れ口３２ａは、右側から左側に向かって順に、ブラック、マゼンタ、シアン、イエローのトナーに対応している。
【００２５】
水平搬送管３２の下側壁には、各トナー排出管の３４の上端が接続される四つのトナー排出口３２ｂが形成されている。四つのトナー排出口３２ｂは、水平搬送管３２の左右方向に間隔を空けて形成されている。四つのトナー排出口３２ｂは、右側から左側に向かって順に、ブラック、マゼンタ、シアン、イエローのトナーに対応している。
【００２６】
搬送スクリュー３１は、摺動性樹脂を用いた一体成型品である。摺動性樹脂の一例としてＰＯＭ（ポリアセタール）樹脂等が挙げられる。
【００２７】
図３及び図４に示すように、搬送スクリュー３１は、左右方向に延びる円柱状の軸部３１ａと、該軸部３１ａの周面に沿って螺旋状に突設された四つの螺旋状羽根部３１ｂとを有している。
【００２８】
軸部３１ａは、水平搬送管３２内の左右方向の全体に亘って延びている。軸部３１ａの左側端部は、図５に示すように、水平搬送管３２の左端板３２ｃの内壁面に一体成型された筒状の軸受３２ｅに回動可能に支持されている。軸部３１ａの左側端部には、軸受３２ｅの先端面に当接することにより軸部３１ａの左右方向の位置を規制する規制板３１ｄが一体成型されている。
【００２９】
軸部３１ａの右側端部は、図６に示すように、ブッシュ形状の軸受３２ｄに駆動ギアー３５と一体で回動可能に支持されている。軸受３２ｄは、水平搬送管３２の右側端部に一体成型されている。駆動ギアー３５は、円筒部３５ａと円筒部３５ａの外周面に一体成型されたギアー本体３５ｂとを有している。円筒部３５ａは、搬送スクリュー３１の軸部３１ａの右側端部に外嵌固定されている。そして、円筒部３５ａの外周面が中間軸受３６の内周面に回動可能に支持されている。駆動ギアー３５は、不図示のギアー列を介してモーターに連結されている。
【００３０】
上記軸受３２ｄ及び軸受３２ｅが、搬送スクリュー３１の両端部を回動可能に支持する両端軸受部に相当する。
【００３１】
上記四つの螺旋状羽根部３１ｂは、水平搬送管３２内のトナーを軸部３１ａに沿って水平方向に搬送する機能を有している。各螺旋状羽根部３１ｂは、各トナー受入れ口３２ａの下方に形成されている。各螺旋状羽根部３１ｂは、各トナー受入れ口３２ａの直下から、該各トナー受入れ口３２ａに対応するトナー排出口３２ｂの直上までの範囲に形成されている。
【００３２】
搬送スクリュー３１の軸部３１ａの周面にはさらに四つの逆螺旋状羽根部３１ｃが形成されている。各逆螺旋状羽根部３１ｃは、螺旋状羽根部３１ｂとは螺旋羽根の巻き方向が逆向き（螺旋状羽根部３１ｂとは逆巻き）になるように形成されている。各逆螺旋状羽根部３１ｃは、軸部３１ａにおける各トナー排出口３２ｂに対向する部分に対して、各螺旋状羽根部３１ｂとは反対側に形成されている。これにより、トナー排出口３２ｂから落下せずに行き過ぎたトナーを各逆螺旋状羽根部３１ｃにより当該トナー排出口３２ｂに戻して落下させることができる。
【００３３】
またさらに、軸部３１ａには一対一組の円板部３１ｅが、左右方向（軸線方向）に離間して二組設けられている。各円板部３１ｅは、軸部３１ａに対して同軸に一体成型されている。各円板部３１ｅの外径は、螺旋状羽根部３１ｂ及び逆螺旋状羽根部３１ｃの外径よりも僅かに大きい。各円板部３１ｅの外周面は、水平搬送管３２の内壁面に摺動可能に嵌合している。
【００３４】
図７に示すように、右側の一対の円板部３１ｅは、ブラック用及びマゼンタ用の螺旋状羽根部３１ｂの間に位置している。また、右側の一対の円板部３１ｅは、ブラック及びマゼンタのトナー排出口３２ｂの間に位置している。この一対の円板部３１ｅと水平搬送管３２の内壁面とによって円筒状の閉空間Ｓ１が形成されている。この一対の円板部３１ｅの外側に隣接するブラック用の螺旋状羽根部３１ｂと、マゼンタ用の逆螺旋状羽根部３１ｃとは、一対の円板部３１ｅ（閉空間Ｓ１）の軸線方向の外側（図７の矢印Ｄ１方向）にトナーを搬送するように螺旋巻き方向が設定されている。
【００３５】
左側の一対の円板部３１ｅは、マゼンタ用及びシアン用の螺旋状羽根部３１ｂの間に位置している。また、左側の一対の円板部３１ｅは、マゼンタ及びシアンのトナー排出口３２ｂの間に位置している。左側の一対の円板部３１ｅと水平搬送管３２の内壁面とによって円筒状の閉空間Ｓ２が形成されている。
【００３６】
この一対の円板部３１ｅの外側に隣接するマゼンタ用の螺旋状羽根部３１ｂと、シアン用の逆螺旋状羽根部３１ｃとは、一対の円板部３１ｅ（閉空間Ｓ２）の軸線方向の外側（図７の矢印Ｄ２方向）にトナーを搬送するように螺旋巻き方向が設定されている。
【００３７】
以上説明したように、本実施形態では、軸部３１ａにおける隣接する螺旋状羽根部３１ｂの間に位置する三つの領域のうち右側の二つには、軸線方向に間隔を空けて設けられて周面が水平搬送管３２の内壁面に摺動可能に嵌合する一対の円板部３１ｅが形成されている（図３、図４及び図７参照）。そして、一対の円板部３１ｅと水平搬送管３２の内壁面とによって円筒状の閉空間Ｓ１，Ｓ２が形成されている。
【００３８】
これによれば、隣合うトナー受入れ口３２ａより水平搬送管３２内に供給される各色のトナー搬送路を、一対の円板部３１ｅによって互いに区画することができる。よって、隣合うトナー受入れ口３２ａより供給されるトナー同士の混色を抑制することができる。延いては、印刷画像の画質低下を抑制することができる。仮に、一対の円板部３１ｅの外周面と水平搬送管３２の内壁面との隙間をトナーが通過したとしても、一対の円板部３１ｅの間に形成された閉空間Ｓ１，Ｓ２内にトナーを滞留させることができる。よって、トナーが一対の円板部３１ｅを越えて移動するのを極力、防止することができる。
【００３９】
また、本実施形態では、各螺旋状羽根部３１ｂ及び各逆螺旋状羽根部３１ｃは、一対の円板部３１ｅの間にトナーが侵入しないように該一対の円板部３１ｅの軸線方向の外側に向けてトナーを搬送するように構成されている（図７の矢印Ｄ１，Ｄ２参照）。
【００４０】
これよれば、トナーが一対の円板部３１ｅを越えて隣りのトナー搬送路に進入するのをより一層確実に抑制することができる。
【００４１】
また、本実施形態では、搬送スクリュー３１は、摺動性樹脂を用いて一体成型されている。
【００４２】
これによれば、円板部３１ｅの外周面と水平搬送管３２の内壁面との摺動抵抗を極力低減することができる。よって、搬送スクリュー３１の回転時の振れ回りをより一層抑制することができる。
【００４３】
また、本実施形態では、各円板部３１ｅは、軸部３１ａに対して同軸に形成され、各円板部３１ｅの外径は、各螺旋状羽根部３１ｂの外径よりも大きい。
【００４４】
この構成によれば、搬送スクリュー３１を水平搬送管３２内に挿入する際に、螺旋状羽根部３１ｂの端部が水平搬送管３２の内壁面と干渉することもない。搬送スクリューの組付け性を向上させることができる。
【００４５】
《実施形態２》
図８は、実施形態２を示す図７相当図である。本実施形態では、一対の円板部３１ｅの間に中間円板部３１ｆを設けるようにした点が実施形態１とは異なる。この点を除く他の構成は実施形態１と同じであるためその詳細な説明は省略する。
【００４６】
中間円板部３１ｆは、軸部３１ａに対して同軸に一体成型されている。中間円板部３１ｆから一対の円板部３１ｅまでの軸線方向の距離は等しい。中間円板部３１ｆは、一対の円板部３１ｅ間の閉空間Ｓ１，Ｓ２を、軸線方向に二分割（本実施形態では二等分）するように配置されている。
【００４７】
本実施形態のトナー搬送装置３０によれば、一対の円板部３１ｅの間の閉空間Ｓ１，Ｓ２内にトナーが進入したとしても、中間円板部３１ｆによってこの進入したトナーの移動を遮断することができる。よって、実施形態１と同様の作用効果をより一層確実に得ることができる。
【００４８】
ここで、水平搬送管３２に対する中間円板部３１ｆの嵌合公差を、一対の円板部３１ｅの嵌合公差よりもきつく設定するようにしてもよい。これにより、一対の円板部３１ｅの嵌合公差を比較的緩めに設定して搬送スクリュー３１の回転時の摺動抵抗を低減しつつ、隣接するトナー同士の混色を防止することができる。
【００４９】
《他の実施形態》
上記実施形態では、軸部３１ａにおけるシアン及びイエローのトナー排出口３２ｂの間の領域には、一対の円板部３１ｅを設けないようにしているが、当該領域にも一対の円板部３１ｅを設けてもよい。尚、実施形態１及び２では、シアン及びイエローのトナー排出口３２ｂ間には一対の円板部３１ｅを設けないようにしている。これは、シアン及びイエローに対応する螺旋状羽根部３１ｂ（図３及び図４参照）の巻き方向が互いに逆向きであるために、シアンとイエローのトナーは混色が生じ難いとの考えに基づいている。この他にも、例えば隣接するトナー排出口３２ｂ間の距離が最も広い箇所（上記実施形態の場合、シアン及びイエローのトナー排出口３２ｂ間）では、隣接するトナー同士の混色が生じ難いので一対の円板部３１ｅを設けないようにしてもよい。
【産業上の利用可能性】
【００５０】
以上説明したように、本発明は、トナー搬送装置及び該トナー搬送装置を備えた画像形成装置に有用である。
【符号の説明】
【００５１】
Ｓ１      ：閉空間
Ｓ２      ：閉空間
１        ：画像形成装置
１３Ｂｋ  ：現像装置
１３Ｃ    ：現像装置
１３Ｍ    ：現像装置
１３Ｙ    ：現像装置
２５Ｂｋ  ：トナー容器
２５Ｃ    ：トナー容器
２５Ｍ    ：トナー容器
２５Ｙ    ：トナー容器
３０      ：トナー搬送装置
３１      ：搬送スクリュー
３１ａ    ：軸部
３１ｂ    ：螺旋状羽根部
３１ｃ    ：逆螺旋状羽根部
３１ｅ    ：円板部
３１ｆ    ：中間円板部
３２      ：水平搬送管
３２ａ    ：トナー受入れ口
３２ｂ    ：トナー排出口
３２ｄ    ：軸受（両端軸受）
３２ｅ    ：軸受（両端軸受）
【図１】
2019128456.tif 000003
【図２】
2019128456.tif 000004
【図３】
2019128456.tif 000005
【図４】
2019128456.tif 000006
【図５】
2019128456.tif 000007
【図６】
2019128456.tif 000008
【図７】
2019128456.tif 000009
【図８】
2019128456.tif 000010